(57)【特許請求の範囲】
【請求項１】
所定の複数のレベルに対応する部分識別情報を含んで構成されている識別情報が利用者から入力された場合において、当該識別情報を、自己または自己に接続された所定機器に格納された識別情報と照合し、この照合結果に応じて利用者の入退室に関する制御を行う入退室管理用端末装置であって、
上記利用者に所定の情報を表示する表示手段と、
上記識別情報の照合基準になる認証レベルを特定するための情報を取得し、当該取得した認証レベルを上記表示手段に表示させる認証レベル取得手段と、
上記識別情報を照合するための所定の処理を行う照合手段と、を備え、
上記照合手段は、認証レベル以上の全てのレベルに対応する部分識別情報のいずれかが、上記自己または自己に接続された所定機器に格納された部分識別情報に合致していない場合には、認証不可の旨およびその原因を表示するための表示データを上記表示手段に表示させること、
を特徴とする入退室管理用端末装置。
【請求項２】
上記認証レベルを変更するための情報の入力を受付けるレベル入力手段と、
上記レベル入力手段を介して入力された情報に基づいて、上記認証レベルを変更するための所定の処理を行う認証レベル変更手段と、
を備えることを特徴とする請求項１に記載の入退室管理用端末装置。
【請求項３】
当該入退室管理用端末装置の機能状態に関する情報を取得する所定の処理を行う機能状態取得手段とを備え、
上記表示手段は、上記照合手段にて取得された照合結果、および、上記機能状態取得手段にて取得された情報を表示すること、
を特徴とする請求項１または２に記載の入退室管理用端末装置。
【請求項４】
上記表示手段にて表示される表示内容の入力を受付ける表示内容入力手段と、
上記表示内容入力手段を介して入力された情報に基づいて、上記表示手段にて表示される内容を変更する所定の処理を行う表示変更手段と、
を備えることを特徴とする請求項１〜３のいずれか一つに記載の入退室管理用端末装置。
【請求項５】
当該入退室管理用端末装置は、上記認証レベルを変更するための情報の入力を上記レベル入力手段が受付ける際、当該入力のための操作権限の確認を行うこと、
を特徴とする請求項２〜４のいずれか一つに記載の入退室管理用端末装置。
【発明の詳細な説明】
【０００１】
【発明の属する技術分野】
本発明は、室内等への入退室を管理するための入退室管理用端末装置に関し、特に、表示内容に特徴を有する、入退室管理用端末装置に関する。
【０００２】
【従来の技術】
オフィスビル等の各種施設において、セキュリティを確保するため、室内への人の出入りを管理する入退室管理システムが利用されている。
この入退室管理システムは、一般に、管理室等に配置されるコントロール装置、各部屋の近傍等に配置される制御盤、各部屋の扉の近傍に配置されるカードリーダ（入退室管理用端末装置）、および、各扉に配置される電子錠等を備えて構成されている。
【０００３】
そして、各部屋に出入りすることが許される利用者の識別情報をコントロール装置に設定し、この識別情報を制御盤にアップロードする。その後、利用者が各部屋に出入りする際、自己の識別情報を記録したカードをカードリーダに通すと、カードリーダで読み取られた識別情報が制御盤に送信され、この制御盤で識別情報の照合が行われる。そして、識別情報が合致した場合には、電子錠が開錠されて利用者が入退室することができ、識別情報が合致しない場合には、電子錠が施錠状態のまま保持されて利用者の入退室が拒否される。
【０００４】
ここで、従来のカードリーダには、利用者に対する表示を行うためのＬＥＤが設けられていた。そして、カード情報が読み取られた時等の所定のタイミングでＬＥＤを点灯させ、カードの読み取り状態等を利用者に通知していた。
【０００５】
【発明が解決しようとする課題】
しかしながら、実際には、カードリーダで判断等される情報は多岐に渡り、ＬＥＤの如き表示情報量の乏しい表示手段を用いて表示を行うことには限界がある。したがって、従来は、利用者に十分に情報を伝えることができず、利用者の利便性を損ねる可能性があった。
【０００６】
例えば、一般に、識別情報は、複数レベルに対応する部分識別情報を含んで構成されている。そして、コントロール装置を介して認証基準になるレベルが設定された場合（以下、このように認証基準として設定されたレベルを必要に応じて「認証レベル」と称する）、この認証レベル以上の全てのレベルに対応する全ての部分識別情報が、制御盤にアップロードされた識別情報の部分識別情報に合致した場合にのみ、入退室が許可される。
【０００７】
例えば、レベル１およびレベル２という２段階のレベルが設けられている場合（ここで、レベル１はレベル２より上位レベルであり、例えば、レベル１は「会社コード」で、レベル２は「個人コード」である）、識別情報は、レベル１の部分識別情報と、レベル２の部分識別情報とを含んで構成される。そして、レベル２が認証レベルに設定されている場合、利用者のカードから読み取られた識別情報に含まれるレベル１の部分識別情報とレベル２の部分識別情報とが、制御盤にアップロードされた識別情報のレベル１の部分識別情報とレベル２の部分識別情報とにそれぞれ合致しているにのみ、入退室が許可される。
例えば、レベル１の「会社コード」とレベル２の「個人コード」とが共に許可される部分識別情報であれば、入退室が許可される。
一方、レベル１の部分識別情報は合致しているが、レベル２の部分識別情報が合致していない場合には、アクセスレベル不足として入退室が拒否される。
【０００８】
また、認証レベルがレベル１に設定されている場合は、利用者のカードから読み取られた識別情報に含まれるレベル１の部分識別情報が制御盤にアップロードされた識別情報に少なくとも合致すれば入退室が許可される。つまり、レベル１の「会社コード」が合致すれば、レベル２の「個人コード」の情報に関係なく、入退室が許可される。
このような認証レベルの変更は、例えば、昼間と夜間とで出入りする人を変更するために行われる。一例としては、昼はレベル１に設定しておいて「会社コード」が合致する全ての人の入退室が許可できるように設定する。しかし、夜間は警備係等の特定の人のみが入退室できるように認証レベルをレベル２に設定して、「会社コード」と「個人コード」とが共に合致しないと、入退室ができないように設定される。
【０００９】
このように認証レベルによる入退出管理を行っている場合において、特に、認証レベルが高頻度で変更されるような場合や、部屋毎に認証レベルが異なるような場合には、利用者が各部屋の認証レベルを逐一把握することは困難である。また、認証レベルを変更すべき利用者が、その変更を忘れるような場合もある。
【００１０】
しかしながら、従来のカードリーダではＬＥＤの如き表示情報量の乏しい表示手段しか備えていないために、認証レベルの如き細かい情報を利用者に伝えることが困難であった。例えば、時間帯によって認証レベルが変更される場合は、午前中に入退室ができたにも関わらず、午後になって入室しようとしても入れない等の場合がある。
したがって、利用者は、自己のカードをカードリーダに通したにも関わらず、入退室が許可されない場合には、自己のレベルが認証レベルに満たないレベルであったにも関わらず、機器異常等の原因で入退室できないと判断したり、その原因を確認するために管理室等に出向いたり問い合わせを行う必要がある等、その対応を取ることが困難であった。
【００１１】
本発明は上記問題に鑑みてなされたもので、認証レベルに関する情報等を利用者に提示等することができる、入退室管理用端末装置を提供することを目的としている。
【００１２】
【発明が解決するための手段】
このような目的を達成するため、請求項１に記載の入退室管理用端末装置は、所定の複数のレベルに対応する部分識別情報を含んで構成されている識別情報が利用者から入力された場合において、自己または自己に接続された所定機器に格納された識別情報と照合し、この照合結果に応じて利用者の入退室に関する制御を行う入退室管理用端末装置であって、上記利用者に所定の情報を表示する表示手段と、上記識別情報の照合基準になる認証レベルを特定するための情報を取得し、当該取得した認証レベルを上記表示手段に表示させる認証レベル取得手段と、上記識別情報を照合するための所定の処理を行う照合手段と、を備え、上記照合手段は、認証レベル以上の全てのレベルに対応する部分識別情報のいずれかが、上記自己または自己に接続された所定機器に格納された部分識別情報に合致していない場合には、認証不可の旨およびその原因を表示するための表示データを上記表示手段に表示させること、を特徴とする。
【００１３】
この装置によれば、識別情報の照合基準になる認証レベルに関する情報が、入退室管理用端末装置の表示手段に表示される。したがって、利用者は、認証レベルを、管理室等に出向くことなく容易に確認することができる。したがって、利用者は、自己が入退室できるか否かや、入退室しようとしたにも関わらず許可されない場合には、その原因が認証レベルにあるのか、あるいは、他の原因にあるのか等を容易に把握することができる。
【００１４】
また、請求項２に記載の入退室管理用端末装置は、請求項１に記載の入退室管理用端末装置において、上記認証レベルを変更するための情報の入力を受付けるレベル入力手段と、上記レベル入力手段を介して入力された情報に基づいて、上記認証レベルを変更するための所定の処理を行う認証レベル変更手段とを備えることを特徴とする。
【００１５】
この装置によれば、入退室管理用端末装置のレベル入力手段を介して入力された情報に基づいて、認証レベルが変更される。したがって、認証レベルの変更を入退室管理用端末装置で行うことができるので、管理室等に出向く必要がなく、認証レベルの変更作業が極めて容易になる。
【００１６】
また、請求項３に記載の入退室管理用端末装置は、請求項１または２に記載の入退室管理用端末装置において、当該入退室管理用端末装置の機能状態に関する情報を取得する所定の処理を行う機能状態取得手段とを備え、上記表示手段は、上記照合手段にて取得された照合結果、および、上記機能状態取得手段にて取得された情報を表示することを特徴とする。
【００１７】
この装置によれば、照合手段にて取得された照合結果や、機能状態取得手段にて取得された情報が、入退室管理用端末装置の表示手段に表示される。したがって、利用者は、自己の入退室の可否や、入退室不可の原因を、管理室等に出向くことなく、容易に把握することができる。
【００１８】
また、請求項４に記載の入退室管理用端末装置は、請求項１〜３のいずれか一つに記載の入退室管理用端末装置において、上記表示手段にて表示される表示内容の入力を受付ける表示内容入力手段と、上記表示内容入力手段を介して入力された情報に基づいて、上記表示手段にて表示される内容を変更する所定の処理を行う表示変更手段とを備えることを特徴とする。
【００１９】
この装置によれば、入退室管理用端末装置の表示内容入力手段を介して入力された情報に基づいて、表示手段にて表示される内容が変更される。したがって、利用者は、認証レベルの表示内容を具体的内容等に変更でき、認証レベルを一層容易かつ具体的に表示することができる。特に、このような変更を入退室管理用端末装置で行うことができるので、管理室等に出向く必要がなく、認証レベルの変更作業が極めて容易になる。
【００２０】
【発明の実施の形態】
以下に、本発明にかかる入退室管理用端末装置の実施の形態を図面に基づいて詳細に説明する。なお、この実施の形態によりこの発明が限定されるものではない。
【００２１】
（構成）
まず、本実施の形態にかかる入退室管理用端末装置を備えた入退室管理システムの構成について説明する。図１は入退室管理システムの構成を示すブロック図である。
この図１に示すように、入退室管理システム（以下、本システム）は、コントロール装置１００、制御盤２００、電気錠３００、防犯センサ４００、および、カードリーダ５００を図示のように電気的に接続して構成されている。
ここで、部屋等の監視領域や建物形状に応じて、複数の制御盤２００がコントロール装置１００に接続される。カードリーダ５００、電気錠３００等も、扉の数や部屋の広さに応じて、また、１台または複数台が制御盤２００に接続される。
【００２２】
このうち、コントロール装置１００は、入退室管理システム全体の統括的制御を行う制御装置であり、管理室等に配置される。コントロール装置１００は、動作データを格納すると共に、この動作データを必要に応じて制御盤２００にロードする。また、コントロール装置１００は、制御盤２００からロードしたステータスデータを格納する。
【００２３】
ここで、「動作データ」とは、本システムの動作内容を規定するための情報であり、例えば、各部屋への入退室を許可すべき利用者の認証情報およびその認証レベル、盗難や紛失等されたカードの識別番号、カードの有効期限、カードの有効時間帯を含めることができる。
また、「ステータスデータ」とは、本システムの状態や動作履歴に関する情報であり、例えば、利用者の入退室の状態や、扉の開閉状態を含めることができる。
【００２４】
また、制御盤２００は、電気錠３００、防犯センサ４００、および、カードリーダ５００を制御するための制御装置であり、上記のようにコントロール装置１００との間で情報の送受信を行うと共に、これら電気錠３００、防犯センサ４００、および、カードリーダ５００との間において必要な情報の送受信を行う。
【００２５】
このため、制御盤２００は、記憶部２１０および制御部２２０を備えて構成されている。
このうち、記憶部２１０は、上記動作データを記憶する動作データ記憶部２１１と、上記ステータスデータを記憶するステータスデータ記憶部２１２とを備えて構成されている。
また、制御部２２０は、制御盤２００の各部を制御する制御手段であり、例えば、ＣＰＵ(Central Processing Unit)およびソフトウェアにて構成されている。この制御部２２０は、機能概念的には、防犯センサ４００の検出結果を監視するセンサ監視部２２１、カードリーダ５００の制御を行うカードリーダ制御部２２２、電気錠３００の制御を行う電気錠制御部２２３、および、扉の状態を監視する扉状態監視部２２４を備えて構成されている。
【００２６】
また、電気錠３００は、各部屋の各扉に配置されるもので、ソレノイド３１０を作動させることによって錠の開閉を行い、扉を開状態または閉状態にする。この電気錠３００による施錠の信号と、扉の開閉状態の信号は、扉に設けられたセンサ３２０、３３０から制御盤２００に送信される。
また、防犯センサ４００は、各部屋の内部に配置されるもので、人体から発せられる赤外線の有無を検出し、その検出結果を制御盤２００に送信する。
【００２７】
また、カードリーダ５００は、各部屋への利用者の入退室管理を行う入退室管理用端末装置であり、各部屋の各扉の側方等に配置される。図２はカードリーダ５００の正面図、図３はカードリーダ５００の要部構成を示すブロック図である。
図２に示すように、カードリーダ５００は、カード読み取り部５１０、操作スイッチ５２０、ＬＣＤ（Liquid Crystal Display：液晶パネル)５３０、および、ブザー（図２には放音孔を示す）５４０を備えて構成されている。
【００２８】
このうち、カード読み取り部５１０は、利用者の識別情報を記録したカードから、この識別情報を読み取る識別情報読み取り手段であり、例えば、図２に示すようにスリット５１１を備えており、このスリット５１１に挿通させた磁気カードの識別情報を磁気的に読み取る。
また、操作スイッチ５２０は、カードリーダ５００に対する各種の入力を受け付ける受付手段であり、特に、本実施の形態においては、認証レベルを変更するための情報の入力を受付けるレベル入力手段、および、ＬＣＤ５３０にて表示される表示内容の入力を受付ける表示内容入力手段として機能する。この操作スイッチ５２０は、例えば、図示のように複数のタッチパネルスイッチ５２１を備えて構成されている。
【００２９】
また、ＬＣＤ５３０は、利用者に対する各種の情報を表示するための表示手段であり、特に、本実施の形態においては、認証レベルに関する情報を表示する表示手段、および、照合結果やカードリーダ５００の機能状態に関する情報を表示する表示手段として機能する。
また、ブザー５４０は、利用者に対する各種の情報を音声出力するための音声出力手段である。
【００３０】
このカードリーダ５００は、図３に示すように、上述したカード読み取り部５１０、操作スイッチ５２０、ＬＣＤ５３０、および、ブザー５４０に加えて、表示データ記憶部５５０、通信制御インターフェース（以下、通信制御ＩＦ）５６０、および、制御部５７０、を備えて構成されている。
【００３１】
このうち、表示データ記憶部５５０は、ＬＣＤ５３０にて表示すべき表示内容を特定する表示データを格納する表示データ格納手段である。
また、通信制御インターフェース５６０は、制御盤２００との間における通信制御を行う通信制御手段である。
【００３２】
また、制御部５７０は、カードリーダ５００の各部を制御する制御手段であり、例えば、ＣＰＵおよびソフトウェアにて構成されている。この制御部５７０は、機能概念的には、識別情報を照合するための所定の処理を行う照合手段としての照合部５７１、認証レベルを特定するための情報を取得する認証レベル取得手段としての認証レベル取得部５７２、認証レベルを変更するための処理を行う認証レベル変更手段としての認証レベル変更部５７３、カードリーダ５００の機能状態に関する情報を取得する所定の処理を行う機能状態取得手段としての機能状態取得部５７４、および、ＬＣＤ５３０にて表示される内容を変更する所定の処理を行う表示変更手段としての表示変更部５７５を備えて構成されている。
【００３３】
（処理の内容）
次に、本システムにおける入退室管理処理の内容について説明する。以下では、（１）認証レベルが設定されている場合の照合処理および認証レベルの変更処理、（２）認証レベルとして表示する表示内容の設定処理について、順次説明する。
【００３４】
この前提として、識別番号は、レベル１〜５に対応する５つの部分識別情報を含んで構成されているものとする。例えば、レベル１は「会社」、レベル２は「事業所」、レベル３は「部署名」、レベル４は「個人名」、レベル５は「発行回数」であり（数字が小さい方が上位概念のレベル）、レベル１〜５のいずれか一つのレベルが認証レベルとして設定される。
【００３５】
例えば、レベル３が認証レベルに設定された場合には、利用者の識別情報に含まれる部分識別情報のうち、レベル１の会社名を示す部分識別情報、レベル２の事業所を示す部分識別情報、および、レベル３の部署名を示す部分識別情報の全てが、制御盤２００に格納された、入退室を許可する識別情報のこれら各部分識別情報に合致した場合にのみ、入退室が許可されることになる。この場合、個人名を示す部分識別情報および発行回数を示す部分識別情報の一致は要求されない。
【００３６】
ここで、「発行回数」とは、同一の利用者に対するカードの累計発行回数であり、カード紛失後の再発行時等に、紛失したカードと再発行されたカードを相互に識別するために用いられる。
なお、このような認証レベルは、後述する利用者による変更が行われる場合を除いて、コントロール装置で行われた設定に従って自動的に変更することができる。例えば、夜間には自動的に認証レベルを引き上げて、すなわち、数字が大きい方のレベルに設定して、入退室を厳しく制限し、昼間には自動的に認証レベルを引き下げて入退室の制限を緩やかにすることができる。
また、前提として、カードリーダ５００の表示データ記憶部５５０には、表示データが格納されているものとする。ただし、この表示データは、後述する認証レベルの取得と同様に、制御盤２００から適宜取得することができる。
【００３７】
（処理の内容−照合処理）
まず、認証レベルが設定されている場合の照合処理等について説明する。図４は、カードリーダ５００における照合処理等のフローチャートである。
まず、カードリーダ５００の電源が所定方法で投入されると（ステップＳＡ−１）、制御部５７０は、通信制御ＩＦ５６０を介して制御盤２００のカードリーダ制御部２２２との間における伝送確立を行う。ここで、機能状態取得部５７４は、カードリーダ５００の機能状態を監視しており（ステップＳＡ−２）、伝送確立途中である場合には、その旨を表示するための表示データを表示データ記憶部５５０から呼び出して、ＬＣＤ５３０にて表示させる（ステップＳＡ−３、ＳＡ−４）。この結果、図５に例示するように、「伝送確立中」等の文字がＬＣＤ５３０に表示される。
【００３８】
さらに、機能状態取得部５７４は、この伝送確立中の状態が所定時間以上継続した場合には何らかの伝送障害が発生したものと判断して、その旨を表示するための表示データを表示データ記憶部５５０から呼び出して、ＬＣＤ５３０にて表示させる（ステップＳＡ−５）。この結果、図６に例示するように、「伝送障害中」等の文字がＬＣＤ５３０に表示される。
【００３９】
その後、制御盤２００との伝送確立が行われた場合には、機能状態取得部５７４は、制御盤２００からその機能状態を取得する。
ここで、制御盤２００の起動時には、コントロール装置１００に格納された動作データが制御盤２００にロードされる。そして、機能状態取得部５７４は、制御盤２００が動作データのロード中であることを取得した場合には、その旨を表示するための表示データを表示データ記憶部５５０から呼び出して、ＬＣＤ５３０にて表示させる（ステップＳＡ−６、ＳＡ−７）。この結果、図７に例示するように、「ダウンロード中」等の文字がＬＣＤ５３０に表示される。
【００４０】
また、動作データのロード直後には、照合効率等を向上させるため、制御盤２００に格納された動作データが所定基準で整列される。例えば、各個人毎の識別情報であれば、レベル１の部分識別情報から整列して個人情報が検索し易いようにする。そして、機能状態取得部５７４は、制御盤２００が動作データの整列中であることを取得した場合には、その旨を表示するための表示データを表示データ記憶部５５０から呼び出して、ＬＣＤ５３０にて表示させる（ステップＳＡ−８、ＳＡ−９）。この結果、図８に例示するように、「カードソート中」等の文字がＬＣＤ５３０に表示される。
【００４１】
この動作データの整列が完了すると、通常の入退出管理を行うことが可能な状態になる。この時、認証レベル取得部５７２は、制御盤２００に格納された動作データの中から、当該カードリーダ５００に対して設定されている認証レベルを取得する（ステップＳＡ−１０）。
そして、この認証レベルを表示する表示データと、通常画面の元になる表示データとを表示データ記憶部５５０から呼び出し、両データを合成することによって通常画面の表示データを生成して、これをＬＣＤ５３０にて表示させる（ステップＳＡ−１１）。この結果、図９に例示するように、通常画面がＬＣＤ５３０に表示される。この画面には、「カードを通して下さい」等の文字の他、「レベル３」のように、認証レベルが表示されている。したがって、利用者は、この表示を見ることによって、自己のレベルが認証レベルに合致しているか否かを容易に判断することができる。
【００４２】
その後、認証レベルの変更操作があったか否かを監視する（ステップＳＡ−１８）。具体的には、操作スイッチ５２０を操作して変更したい認証レベルを選択し、カードをカード読み取り部５１０に挿通して実行する。この詳細については後述する。
【００４３】
次いで、カードリーダ５００の制御部５７０は、認証要求の有無を監視する（ステップＳＡ−１２）。具体的には、カード読み取り部５１０に対するカードの挿通の有無を監視する。そして、カードが挿通された場合、照合部５７１は、カード読み取り部５１０で読み取った識別情報を制御盤２００に送信して照合を要求する（ステップＳＡ−１３）。
これを受けた制御盤２００のカードリーダ制御部２２２は、動作データ記憶部２１１に格納した動作データおよびステータスデータ記憶部２１２に格納したステータスデータを用いて識別情報の照合を行う。この照合の際には、動作データに含まれる認証レベルに基づいて、識別情報に含まれる部分識別情報の照合が行われる。
【００４４】
そして、制御盤２００のカードリーダ制御部２２２は、照合結果（認証可否、および、認証不可の場合にはその原因を示す情報を含む）をカードリーダ５００に送信する。このように制御盤２００から送信された照合結果が認証可である場合、カードリーダ５００の照合部５７１は、上記その旨を表示するための表示データを表示データ記憶部５５０から呼び出して、ＬＣＤ５３０にて表示させる（ステップＳＡ−１４、ＳＡ−１５）。この結果、図１０に例示するように、「カード有効」等の文字がＬＣＤ５３０に表示される。
【００４５】
また、この照合結果が認証可である場合、制御盤２００の電気錠制御部２２３は、ソレノイドを駆動して電気錠３００を開錠する。そして、その後の扉の開閉状態は扉状態監視部２２４にて監視され、扉が開かれた後に閉じられた場合、あるいは、開錠後に所定時間以上経過しても扉が開かれない場合には、電気錠制御部２２３がソレノイドを再び駆動して電気錠３００を施錠する。
なお、このように開錠や施錠が行われる毎に、その旨の信号がカードリーダ５００に送信され、ＬＣＤ５３０の表示画面には「解除」や「施錠」の文字が白抜きや強調表示等の任意の形態で表示される。図１０には、「解除」の文字が白抜きで表示されている状態を示す。
【００４６】
そして、電気錠３００が施錠された後は、ステップＳＡ−１１に移行して図９に例示する通常画面が再び表示され、認証レベル変更要求および認証要求待機状態に復帰する。
なお、上記のように認証された利用者の識別情報、電気錠３００の開錠や施錠、および、扉の開閉状態は、制御盤２００からコントロール装置１００に所定時間間隔で送信され、このコントロール装置１００に格納される。
【００４７】
一方、ステップＳＡ−１４において、制御盤２００から送信された照合結果が認証不可である場合、カードリーダ５００の照合部５７１は、制御盤２００から送信された情報に基づいて、認証不可の旨およびその原因を表示するための表示データを表示データ記憶部５５０から呼び出して、ＬＣＤ５３０にて表示させる（ステップＳＡ−１６）。この結果、ＬＣＤ５３０にエラー画面が表示される。
【００４８】
このエラー画面は、例えば、図１０の画面のうち、「カード有効」等の文字を他の文字に置換して構成される。このエラー画面において表示される認証エラーメッセージとそのエラー原因とを図１２に示す。
この図１２に示すように、カードリーダ５００を一時的に使用不可にするためのマスクがかけられている場合には「このリーダが使えません」の文字、使用されたカードが盗難や紛失されたカードとして設定されている場合には「盗難／紛失エラー」の文字、使用されたカ−ドの識別情報に含まれる「発行回数」の部分識別情報が制御盤２００に登録されているものと異なる場合には「発行回数エラー」の文字、使用されたカードの有効期限が切れている場合には「期限切れエラー」の文字、入室または退室が連続して行われた場合には「ＡＰＢ（Anti Pass Back)エラー」の文字、使用されたカードが使用不可の時間帯である場合には「ＴＣ（Time Control)エラー」の文字がそれぞれ画面中に表示される。
【００４９】
また、使用されたカードの「会社」、「事業所」、または、「部署名」等の部分識別情報が制御盤２００に登録されていない場合、つまり、認証レベル以上の全てのレベルに対応する部分識別情報のいずれかが、制御盤２００の許可される部分識別情報に合致していない場合には、「組織コードエラー」の文字が画面中に表示される。また、部屋の内側が防犯警戒中に設定されているために入室不可である場合には、「防犯警戒中」の文字が画面中に表示される。
したがって、利用者は、自己が入退室できない場合、その原因が認証レベルにあるのか、あるいは、他の原因にあるのか等を容易に把握することができる。
このような場合、カードリーダ５００は一定時間後に再び通常画面を表示し、通常の認証要求待ち状態に復帰する。
【００５０】
（処理の内容−認証レベルの変更処理）
また、利用者は、前述のようにカードリーダ５００の操作スイッチ５２０を介して所定の操作を行うことにより、認証レベルを変更することができる（ステップＳＡ−１７）。
この際、操作権限の確認は任意の方法で行うことができ、例えば、カードから読み取られた識別情報に基づいて確認することもでき、操作スイッチ５２０を介して入力されたパスワードに基づいて確認することもでき、あるいは、これら２つの方法やその他の方法を組み合わせて確認することもできる。
【００５１】
このように操作権限の確認が行われると、認証レベル変更部５７３は、認証レベル変更の処理を行う（ステップＳＡ−１８）。
具体的には、まず、利用者は、設定したい認証レベルを操作スイッチ５２０で入力等することにより、認証レベルを入力することができる。その後、自己のカードをカードリーダに挿通する。
このように認証レベルが入力されると、認証レベル変更部５７３は、この認証レベルを制御盤２００に送信して、認証レベル変更を要求する。これを受けた制御盤２００のカードリーダ制御部２２２は、送信された操作権限を確認した後、操作者が許可された者であれば、送信された認証レベルを用いて動作データ記憶部２１１の記憶内容を書き換える。
【００５２】
また、カードリーダ制御部２２２は、認証レベルをコントロール装置１００に送信して認証レベル変更を要求する。これを受けたコントロール装置１００は、送信された認証レベルを用いて動作データを書き換える。
この認証レベルの変更は、認証レベル変更用の画面をＬＣＤ５３０に表示させるようにして、画面の表示内容に合わせて操作スイッチ５２０の操作でレベル変更するようにしてもよい。
【００５３】
また、上記のように認証レベルが入力された後、カードリーダ５００の認証レベル変更部５７３は、この入力された認証レベルを表示するための通常画面の表示データを生成して、ＬＣＤ５３０にて表示させる（ステップＳＡ−１１）。この結果、通常画面には、変更後の認証レベルが表示される。図１１には、図９の「認証レベル３」を「認証レベル４」に変更した状態を示す。
このように、認証レベルの変更をカードリーダ５００で行うことができるので、管理室等に出向く必要がなく、変更作業が極めて容易になる。
【００５４】
（認証レベルとして表示する表示内容の設定処理）
次に、表示内容の設定処理について説明する。この処理のフローチャートを図１３に示す。
この処理では、上記のように通常画面等に表示する認証レベルの表示内容を設定変更することができる。
まず、表示変更部５７５は、変更指示の有無を監視する（ステップＳＢ−１）。ここで、変更指示およびその権限の確認は任意の方法で行うことができ、例えば、上記の認証レベルの変更と同様に、操作スイッチ５２０を操作した後でカードリーダ５００にカードを挿通させることによって行うことができる。
【００５５】
この変更指示があった場合、表示変更部５７５は、所定の変更指示画面の表示データを表示データ記憶部５５０から呼び出してＬＣＤ５３０に表示させる（ステップＳＢ−２）。この画面は、図１４に例示するように、設定変更を行う認証レベルのレベル（図１４では「レベル３」）、デフォルトで設定されている表示内容（図１４では「レベル３」または「部署コード」）、任意の文字設定を行うための文字設定メニュー（図１４では「ＪＩＳ「」」と示す）が表示されている。
そして、利用者がデフォルトの表示内容または文字設定メニューを選択し、例えば、操作スイッチ５２０のうちのファンクションキーを押す等の所定操作を行うと、変更の実行が指示される。
【００５６】
ここで、デフォルトの表示内容が指示された場合には、その内容が表示データ記憶部５５０に表示データとして記憶される（ステップＳＢ−３〜ＳＢ−５）。
一方、文字設定メニューが選択された場合、表示変更部５７５は、所定の変更内容入力画面の表示データを表示データ記憶部５５０から呼び出してＬＣＤ５３０に表示させる（ステップＳＢ−３〜ＳＢ−６）。この画面は、図１５に例示するように、表示させたい内容を入力するための入力欄を含んで構成されている。そして、利用者が、操作スイッチ５２０を介して入力欄に任意の文字を入力して登録を指示すると、この入力された文字が表示データ記憶部５５０に表示データとして記憶される（ステップＳＢ−７、ＳＢ−８）。
【００５７】
その後、表示変更部５７５は、登録された表示データを用いて通常画面の表示データを生成して、これをＬＣＤ５３０に表示される（ステップＳＢ−９）。この結果、変更後の表示内容を含んだ通常画面が表示される。図１６には、「レベル３」という表示内容を、「総務」という表示内容に変更した場合の通常画面を例示する。
【００５８】
このように、認証レベルの表示内容を変更することができるので、「レベル１」、「レベル２」、「レベル３」、「レベル４」の如き表示内容を、「会社」、「事業所」、「部署」、「個人名」の如き概念的内容に変更したり、さらには、「○×会社」、「東京事業所」、「総務」、「山田」等の具体的内容に変更でき、認証レベルを一層容易かつ具体的に表示することができる。特に、このような変更をカードリーダ５００で行うことができるので、管理室等に出向く必要がなく、変更作業が極めて容易になる。
【００５９】
（他の実施の形態）
さて、これまで本発明の実施の形態について説明したが、本発明は、上述した実施の形態以外にも、上記特許請求の範囲に記載した技術的思想の範囲内において種々の異なる実施の形態にて実施されてよいものである。
【００６０】
例えば、カードリーダ５００に設ける表示手段は、少なくとも認証レベルに関する情報を利用者に認識可能に表示することができればよく、例えば、ＬＣＤ５３０以外にも、プラズマディスプレイや高密度ＬＥＤディスプレイ等を用いることができる。
【００６１】
また、例えば、動作データやステータスデータは、コントロール装置１００や制御盤２００以外に、カードリーダ５００側で保持することもできる。この場合、認証レベルの変更は、カードリーダ５００の内部に保持した動作データを更新する。このように、カードリーダ５００、制御盤２００、あるいは、コントロール装置１００の機能割り当ては適宜変更することができる。
また、必ずしも、制御盤２００は必要ではなく、一または複数のカードリーダ５００を１台のコントロール装置１００で直接コントロールすることも可能である。
【００６２】
また、実施形態において説明した各処理のうち、自動的に行なわれるものとして説明した処理の全部または一部を手動的に行うこともでき、あるいは、手動的に行なわれるものとして説明した処理の全部または一部を公知の方法で自動的に行うこともできる。
この他、上記文書中や図面中で示した処理手順、制御手順、具体的名称等の情報については、特記する場合を除いて任意に変更することができる。
【００６３】
【発明の効果】
以上に説明したように、本発明によれば、利用者は、認証レベルを、管理室等に出向くことなく容易に確認することができる。したがって、利用者は、自己が入退室できるか否かや、入退室しようとしたにも関わらず許可されない場合には、その原因が認証レベルにあるのか、あるいは、他の原因にあるのか等を容易に把握することができる。
【００６４】
また、本発明によれば、利用者は、認証レベルの変更を入退室管理用端末装置で行うことができるので、管理室等に出向く必要がなく、認証レベルの変更作業が極めて容易になる。
【００６５】
また、本発明によれば、利用者は、自己の入退室の可否や、入退室不可の原因を、管理室等に出向くことなく、容易に把握することができる。
【００６６】
また、本発明によれば、利用者は、認証レベルの表示内容を具体的内容等に変更でき、認証レベルを一層容易かつ具体的に表示することができる。特に、このような変更を入退室管理用端末装置で行うことができるので、管理室等に出向く必要がなく、認証レベルの変更作業が極めて容易になる。
【図面の簡単な説明】
【図１】本発明の実施の形態にかかる入退室管理システムの構成を示すブロック図である。
【図２】カードリーダの正面図である。
【図３】カードリーダの要部構成を示すブロック図である。
【図４】カードリーダにおける照合処理等のフローチャートである。
【図５】「伝送確立中」の旨の表示画面例を示す図である。
【図６】「伝送障害中」の旨の表示画面例を示す図である。
【図７】「ダウンロード中」の旨の表示画面例を示す図である。
【図８】「カードソート中」の旨の表示画面例を示す図である。
【図９】通常画面の表示例を示す図である。
【図１０】「カード有効」の旨の表示画面例を示す図である。
【図１１】認証レベルを変更した後の通常画面の表示例を示す図である。
【図１２】認証エラーメッセージとそのエラー原因を例示する図である。
【図１３】表示内容の設定処理のフローチャートである。
【図１４】変更指示画面の表示例を示す図である。
【図１５】変更内容入力画面の表示例を示す図である。
【図１６】認証レベルの表示内容を変更した後の通常画面の表示例を示す図である。
【符号の説明】
１００  コントロール装置
２００  制御盤
２１０  記憶部
２２０  制御部
２２１  センサ監視部
２２２  カードリーダ制御部
２２３  電気錠制御部
２２４  扉状態監視部
３００  電気錠
４００  防犯センサ
５００  カードリーダ
５１０  カード読み取り部
５２０  操作スイッチ
５３０  ＬＣＤ
５４０  ブザー
５５０  表示データ記憶部
５６０  通信制御インターフェース
５７０  制御部
５７１  照合部
５７２  認証レベル取得部
５７３  認証レベル変更部
５７４  機能状態取得部
５７５  表示変更部
【図１】
0004077169.tif 000002
【図２】
0004077169.tif 000003
【図３】
0004077169.tif 000004
【図４】
0004077169.tif 000005
【図５】
0004077169.tif 000006
【図６】
0004077169.tif 000007
【図７】
0004077169.tif 000008
【図８】
0004077169.tif 000009
【図９】
0004077169.tif 000010
【図１０】
0004077169.tif 000011
【図１１】
0004077169.tif 000012
【図１２】
0004077169.tif 000013
【図１３】
0004077169.tif 000014
【図１４】
0004077169.tif 000015
【図１５】
0004077169.tif 000016
【図１６】
0004077169.tif 000017